(57)【要約】      （修正有）【課題】筐体への電力用機器の取り付けが簡単にでき、かつ電力用機器の吸排気の障害とならない機器着脱用装置を提供する。【解決手段】電源装置１などの筐体２内の固定部４にインバータ装置３の搬入経路に沿って設けられた直状案内棒１４と、この案内棒１４にその長手方向への変位自在に案内された第１被案内体１５と、第１被案内体１５の下面側に固定された直状軌道部材１９と、直状軌道部材１９に前記搬入経路に沿って移動自在に案内される第２被案内体２０と、第２被案内体２０に設けられ吊り位置を上下調整可能にした掛吊り部２１とを備えた構成である。直状案内棒１４等は、インバータ装置３の左右側面の外側の上方空間に配置されている。【選択図】図１
0003149621.tif 000002
【実用新案登録請求の範囲】
【請求項１】
電力用機器を電源筐体内の取付け縦面に移動させて着脱を行う機器着脱用装置において、電力用機器の左右上部を固定する被吊上げ部材と、取付け縦面へ電力用機器を搬入する経路に沿って、設置されるべき電力用機器の左右両側の上空間に配置された左右一対の直状案内棒と、該直状案内棒の下方位置でその長手方向への変位自在に案内された第１被案内体と、該第１被案内体の下面に固定された直状軌道部材19と、該直状軌道部材に案内される第２被案内体20と、第２被案内体に設けられ、電力用機器の左右の上空間から被吊上げ部材を掛吊る掛吊り部とを備え、第１被案内体及び第２被案内体のそれぞれが前記搬入経路の外方へ最大限に水平移動されたとき、第２被案内体は前記電力用機器を前記筐体の外方で真上へ吊り上げ得る状態となり、一方、第１被案内体及び第２被案内体のそれぞれが前記搬入経路の内方へ水平移動されたとき、第１被案内体は全体を前記筐体内に収納され、第２被案内体は前記電力用機器を取付け縦面に対峙させた状態となることを特徴とする電源装置などの機器着脱用装置。
【請求項２】
前記電力用機器の取付け縦面の下側に設けられ、前記取付け縦面側に位置する前記電力用機器底面の隅を押し上げるスクリュージャッキを有することを特徴とする請求項１記載の電源装置などの機器着脱用装置。
【考案の詳細な説明】
【技術分野】
【０００１】
本考案は、電源装置などのユニット状電力用機器を電源筐体に装着したり或いは逆に装着状態の該電力用機器を取り外すさいに使用される機器着脱用装置に関する。
【背景技術】
【０００２】
電源筐体として、その内側にユニット状の電力用機器を装着するものがある。ユニット状の電力用機器のメンテナンスのために、固定場所から取り外して電源筐体外へ搬出する作業を容易とするための機器脱着用装置が、例えば特許文献１に開示されている。
【０００３】
特許文献１の技術においては、開閉器等の電力用機器を吊り移動させて引き出し状のトレイに搭載し、電力用機器に設けられたコロにより最終的な固定場所へ移動する。
【先行技術文献】
【特許文献】
【０００４】
【特許文献１】実公平６−１５４４２号公報
【考案の概要】
【考案が解決しようとする課題】
【０００５】
インバータやレギュレータ等の電力用機器は、電力変換を行う際の発熱が大きく、上下の空間を空けておくのが望ましい。特許文献１によれば、電力用機器がトレイ上を移動するために底面にコロを有しており、コロを案内するレールを電力用機器の下側の空間に装備しなければならず大きな発熱を伴う電力機器には利用できないと言う問題がある。また、固定部に設置した後も機器着脱用装置へ電力用機器の加重がかけられたままの状態となるという問題がある。これを解消しようとすると、トレイに変わる手段で電力用機器の下側から電力用機器を一時的に支える必要があり、さらに電力用機器の下側の空間が阻害される。
【０００６】
本考案は、電源筐体への電力用機器の簡単に取り付けでき、かつ電力用機器の吸排気の障害とならない機器着脱用装置を提供する。
【課題を解決するための手段】
【０００７】
上記目的を達成するため、本考案は、電電力用機器を電源筐体内の取付け縦面に移動させて着脱を行う機器着脱用装置において、電力用機器の左右上部を固定する被吊上げ部材と、取付け縦面へ電力用機器を搬入する経路に沿って、設置されるべき電力用機器の左右両側の上空間に配置された左右一対の直状案内棒と、該直状案内棒の下方位置でその長手方向への変位自在に案内された第１被案内体と、該第１被案内体の下面に固定された直状軌道部材19と、該直状軌道部材に案内される第２被案内体20と、第２被案内体に設けられ、電力用機器の左右の上空間から被吊上げ部材を掛吊る掛吊り部とを備え、第１被案内体及び第２被案内体のそれぞれが前記搬入経路の外方へ最大限に水平移動されたとき、第２被案内体は前記電力用機器を前記筐体の外方で真上へ吊り上げ得る状態となり、一方、第１被案内体及び第２被案内体のそれぞれが前記搬入経路の内方へ水平移動されたとき、第１被案内体は全体を前記筐体内に収納され、第２被案内体は前記電力用機器を取付け縦面に対峙させた状態となることを特徴とする。
【考案の効果】
【０００８】
本考案によれば、電力用機器の上の空間を干渉せずに吊り下げた状態で筐体の外側から最終の固定位置まで、電力用機器を移送することができ、設置した電力用機器の排気を妨げないと言う効果がある。また、電力用機器の下側を持ち上げるスクリュージャッキを用いれば、一旦固定した後は、電力用機器の重量による負荷が機器着脱用装置にかかることを避ける構造とすることができる。
【図面の簡単な説明】
【０００９】
【図１】本考案に係る電源装置などの機器着脱用装置の実施例を示す側面図である。
【図２】上記機器着脱用装置の正面図である。
【図３】図２の一部を拡大した部分拡大図である。
【図４】上記機器着脱用装置の上方視説明図であり、Ａは格納状態を示しＢは前方へ伸長させた状態を示している。
【図５】上記機器着脱用装置の一部であるスイベルスクリュージャッキの拡大側面図である。
【図６】図１の一部を拡大して示す説明図である。
【図７】他の被吊り下げ部９０を示す説明図である。
【考案を実施するための形態】
【００１０】
以下、本考案に係る電源装置などの機器着脱用装置の実施例について、図面を参照して詳細に説明する。
【実施例１】
【００１１】
図１は本考案の実施例を示す側面図、図２は該実施例の正面図である。
これらの図において、１は電源装置であり、筐体２の内部に重量が数十ｋｇ以上にも及ぶインバータ装置３のほか、図示しない継電器、送風機などが装設されている。
【００１２】
筐体２は前面パネル２ａ、後面パネル２ｂ、側面パネル２ｃ、図示しない底面パネル、及び天板パネル２ｄを備えている。前面パネル２ａは一般にヒンジなどを介して開閉可能に装着されている。各パネル２ａ、２ｂ、２ｃ、２ｄは基本フレーム４に装着されている。なお基本フレーム４の大部分は図示していない。天板パネル２ｄには、図示しない排気口又は排気ファンが設けられており、インバータ装置３の廃熱を筐体２の外方へ逃がしている。
【００１３】
５ａ、５ｂ及び５ｃは基本フレーム４間に架設状に固定された横支持棒部材であり、これら横支持棒部材５ａ、５ｂ、５ｃの後面間が縦向きの板部材６で結合されている。２本の横支持棒部材５ａ、５ｂのそれぞれには機器取付座としてのアングル形部材７ａ、７ｂが固着されており、それぞれのアングル形部材７ａ、７ｂの縦面部には固定ボルト８ａの螺入されるネジ孔８ｂが形成されており、これらのネジ孔８ｂの位置で定義される機器取付けの縦面を提供している。
【００１４】
インバータ装置３は略直方体状の本体部３ａを備えている。また本体部３ａの上面後縁の左右端部に上側固定脚部材１０、１０を上方へ張り出し状態に形成されると共に、本体部３ａの下面後縁の左右端部に下側固定脚部材１１、１１を下方へ張り出した状態に形成されている。
【００１５】
左右の被吊上げ部９、９は、それぞれアングル形部材９ａとこれの鋭角側の対面間を結合した三角形補強板９ｂとからなっている。左右の被吊上げ部９、９は、インバータ装置３を機器着脱用装置に取り付けるためのアダプタとして機能する。アングル形部材９ａは、垂直側の面にボルト９ｃにより本体部３ａの側面上部に固定するための透孔９ｄ（図中、破線にて表示）が形成されていると共に、水平に張り出した面の長さ途中に透孔ａ１が形成されている。インバータ装置３の両側面には螺子孔が設けられており、透孔９ｄはその配置にあわせて左右の被吊上げ部９、９に穿孔されている。また、ボルト９ｃは、インバータ装置３の両側面の吊り下げ螺子孔に対して螺合するように選択される。この吊り下げ螺子孔は、インバータ装置３を工場出荷、輸送時にクレーン等により吊り下げて搬送するために取り付けられている場合が多い。このような螺子孔が無い場合には、インバータ装置３自体を加工する必要がある。
【００１６】
図１及び図２中、１２ａは左右向きのフレームであり、上面パネル２ｄの下面近傍に位置されている。１２ｂ及び１２ｂは左右一対の前後向きのフレームであり、それぞれは基本フレーム４に固着され、設置されるべきインバータ装置３の左右両側の上空間に位置している。
【００１７】
各フレーム１２ｂ、１２ｂの前後には、その下面に棒支持部材１３ａ、１３ｂが下方への張り出し状にボルトを介して固定されている。棒支持部材１３ａ、１３ｂの間には、断面が円形の直状案内棒１４が締結状に固定されている。棒支持部材１３ａ、１３ｂの位置は、インバータ装置３の左右両側面の外側の上空間に位置である。直状案内棒１４は、軸受鋼で形成され外周面にフッ化レイデント処理を施されている。また、インバータ装置３の搬入経路の方向（前後方向ｃ１）にその長さ方向が合致されている。直状案内棒１４は左右一対が設けられており、夫々がインバータ装置３の左右側面の外側に沿って、その搬入経路の上の空間に配置されている。これら直状案内棒１４、１４には第１被案内体１５が前後方向ｃ１への変位自在に案内されている。
【００１８】
図３は図２の一部を拡大した部分拡大図である。それぞれの上側固定脚部材１０には図３に示すように、大きい孔部ｂ１の上側に連続してこれよりも小さい孔部ｂ２を形成された非開放形の透孔ｂが形成されている。孔部ｂ１は固定ボルト８ａ（図１）の頭部を前後方向ｃ１へ通過させる大きさとなっており、一方、孔部ｂ２は固定ボルト８ａのネジ部を前後方向ｃ１へ通過させるものの、その頭部は通過させない大きさとなっている。
【００１９】
図２に戻り、それぞれの下側固定脚部材１１には下側が開放された切欠部ｄ１が形成されており、該切欠部ｄ１は固定ボルト８ａのネジ部を前後方向ｃ１へ通過させると共に下方から進入させることを許容するものの、その頭部を前後方向ｃ１へ通過させない大きさとなっている。
【００２０】
インバータ装置３は、上側固定脚部材１０の孔部ｂ２と下側固定脚部材１１の切欠部ｄ１とを通じて各アングル形部材７ａ、７ｂのネジ孔８ｂに固定ボルト８ａを螺着することにより、筐体２に装着された状態となる。
【００２１】
次に上記したインバータ装置３を着脱するための機器着脱用装置について、特に図４をも参照して説明する。図４は機器着脱用装置の上方視説明図であってＡは格納状態を示しＢは前方へ伸長させた状態を示している。
【００２２】
第１被案内体１５は、左右各側に配置された前後一対の軸受体１６ａ、１６ｂと、これら各対の軸受体１６ａ、１６ｂのうち前側の軸受体１６ａ、１６ａ同士及び後側の軸受体１６ｂ、１６ｂ同士を一体状に結合した２つの結合板１７ａ、１７ｂと、これら結合板１７ａ、１７ｂの左右各側の端部間を結合した軌道支持部材組１８、１８とからなっている。
【００２３】
各結合板１７ａ、１７ｂには通気のための孔が複数形成されている。左右各側の軌道支持部材組１８は左右一対の支持条部材１８ａ、１８ｂからなり、一対の支持条部材１８ａ、１８ｂは、それぞれ上側水平面部ｅ１（図３）の一方の側縁を下方へ延長して垂直面部ｅ２を形成し、該垂直面部ｅ２の下縁をさらに上側水平面部ｅ１の反対側へ向け水平状に延長して下側水平面部ｅ３を形成したものとなっている。
【００２４】
各軌道支持部材組１８の一対の支持条部材１８ａ、１８ｂの間箇所には直状軌道部材１９が前後向きに配置され固定されている。各直状軌道部材１９は水平配置された四角筒部材を主体とするものであり、その下側の外周平面部の幅中央部の全長範囲に前後方向ｃ１へ長い開口ｆ１を形成されている。各直状軌道部材１９は被吊上げ部９の真上に位置している。
【００２５】
各直状軌道部材１９の内側には直状軌道部材１９により前後方向ｃ１へ移動自在に案内される第２被案内体２０が配置されている。それぞれの第２被案内体２０は本体ブロック２０ａを備えると共に、該本体ブロック２０ａの前後各側に左右一対の車輪２０ｂを回転自在に軸着されている。各側の前後２つの車輪２０ｂ、２０ｂはこれらの対応した下側水平面部ｅ３の上方の直状軌道部材１９部分上を前後方向ｃ１へ転動する。また各直状軌道部材１９の前後端には第２被案内体２０が外方へ抜け出るのを規制するためのストッパ１９ａ、１９ｂが設けられている。
【００２６】
各第２被案内体２０の本体ブロック２０ａには、被吊上げ部９を吊り上げると共にその吊上げ高さをネジにより調整可能とする掛吊り部２１が設けられている。掛吊り部２１は本体ブロック２０ａに垂れ下がり状に固定され開口ｆ１を通じてこれの下方に到達され直状軌道部材１９の中心線の真下に位置され下端部に雄ネジの形成されているネジ棒部材２２と、これに螺合されたナット２３、２３からなっている。掛吊り部２１の位置は、インバータ装置３の左右両側面の外側の上空間に位置である。
【００２７】
このように、被吊上げ部材９、９がインバータ装置３の左右側面の外側に配置されており、また機器着脱用装置側においても、直状案内棒１、第１被案内体１５、第２被案内体２０等がインバータ装置３の左右側面の上部に沿って配置されており、インバータ装置３の上の空間を干渉する範囲を限定するように配置されている。この結果、インバータ装置３からの排気を妨げるものが無い。
【００２８】
図５はスイベルスクリュージャッキ２４の拡大側面図である。板部材６の下側（インバータ装置３の装着位置の直下）に位置する横支持棒部材５ｃには、インバータ装置３の高さをネジを介して変更するための２つのスイベルスクリュージャッキ２４、２４が設けられている。それぞれのスイベルスクリュージャッキ２４は中間板２５、アングル形部材２６、ナット体２７、雄ネジ部材２８及び回転座２９からなっている。
【００２９】
中間板２５はアングル形部材２６の前後位置を調整するための部材であり、横支持棒部材５ｃの前面に重ね合わせ状に配置される。アングル形部材２６は、一辺部が中間板２５の前面に重ね合わせ状に配置されボルト２６ａで固定されている。アングル形部材２６の、水平状面部は、取付けられるインバータ装置３の下面にはみ出す程度の比較的短いものとされており、中央箇所に形成された透孔２６ｂと同心にナット２７を取り付けている。雄ネジ部材２８は下端面にレンチ嵌合用の六角孔２８ａを形成されると共にナット２７に螺合されており、回転操作によりネジ送り作用で上下変位するものである。回転座２９は雄ネジ部材２８の上端にこれと同心に且つ回転自在に装着されており、取付け縦面側に存在するインバータ装置３の下側固定脚部材１１を底面から押し上げるように位置されている。このように、スイベルスクリュージャッキ２４による押し上げ位置は、インバータ装置３の隅の限定された場所にしか過ぎない。このため、インバータ装置３の下側の空間も通気を妨げるものが無い。
【００３０】
図６は図１の一部を拡大して示す説明図である。特に図６を参照しながら、インバータ装置３を着脱する際の使用例及び各部の作用について説明する。
【００３１】
予め、左右の被吊上げ部９、９を、本体ブロック２０ａの掛吊り部２１に取付け、ネジ棒部材２２とこれに螺合されたナット２３により吊上げ高さを調整しておく。
【００３２】
まず、前面パネル２ａを開放した後、格納状態にある第１被案内体１５及び第２被案内体２０に人為力を付与してこれらを最前方位置に移動させる（尚、インバータ装置３は未だ装着されていないと仮定する）。このさい、第１被案内体１５は図６中の第１のストロークｓ１だけ前方へ移動され、第２被案内体２０は直状軌道部材１９上を第２のストロークｓ２だけ前方へ移動される。したがって、第２被案内体２０は総量で第３のスロークｓ３だけ前方へ変位されて筐体２の前外方に位置された状態となる。
【００３３】
装着されるインバータ装置３を既存のリフタの荷台ｇ上に載置した後リフタを移動させて、インバータ装置３を左右の被案内体２０、２０の真下に位置させ、荷台ｇを上昇させる（図１参照）。
【００３４】
荷台ｇを上昇してインバータ装置３の両側面が被吊上げ部９、９に重ねて、被吊上げ部９、９の透孔９ｄを、両側面の取付け孔の位置に合わせる。作業者は被吊上げ部９、９の透孔９ｄからボルト９ｃを螺合して、インバータ装置３を固定する。次に荷台ｇを降下させる。これにより、インバータ装置３は吊り下がり状態となる。
【００３５】
次に作業者は人為力をインバータ装置３や、第１被案内体１５、第２被案内体２０などに付与し、インバータ装置３を第１被案内体１５の摺動変位と、第２被案内体２０の転がり走行変位とにより筐体２内の機器取付け縦面へ移動させ、インバータ装置３を対峙させる。
【００３６】
次に作業者は、左右のネジ孔８ｂ、８ｂに固定ボルト８ａ、８ａを僅かな弛緩状態に仮止め螺合する。そして、スイベルスクリュージャッキ２４、２４の雄ネジ部材２８を六角レンチなどで回転操作し回転座２９を上昇させてインバータ装置３の下側固定脚部１１、１１の下縁に当接させ僅かに押し上げることによりインバータ装置３をその装着高さ位置に正確に合致させる。スイベルスクリュージャッキ２４、２４は、インバータ装置３の重心を大きく外れた位置を押し上げることになるが、掛吊り部２１、２１に吊り下げられ、かつ固定ボルト８ａ、８ａにより仮止めされた状態であるので、落下する事は無い。
【００３７】
次に下側の左右のネジ孔８ｂ、８ｂに固定ボルト８ａ、８ａを本格的に締結し完全な固定状態とする。そして、スイベルスクリュージャッキ２４、２４の雄ネジ部材２８を六角レンチなどで回転操作し回転座２９を下降させて、インバータ装置３に装着する。このとき、掛吊り部２１、２１は被吊上げ部９、９に吊り力を付与しない状態となり、また、スイベルスクリュージャッキ２４、２４への負荷も取り去られる。
【００３８】
以上がインバータ装置３を装着する場合の使用例であるが、既に装着状態にあるインバータ装置３を取り外すときは、まず、スイベルスクリュージャッキ２４、２４を上昇させて固定ボルト８ａ、８ａへの荷重を低減させて、固定ボルト８ａ、８ａ取り外す。その後、スイベルスクリュージャッキ２４、２４を下降させて、掛吊り部２１、２１にインバータ装置３を吊るす処理を行うようにする。
【００３９】
図７は、他の吊り下げ孔を持つインバータ装置３０に、他の構成の被吊上げ部９０を適用して、本実施例による機器着脱用装置を固定する構成を示した図である。インバータ装置３０は、工場出荷や搬送の際に吊り下げフックを螺合するナット３０ａが天板位置に埋め込まれている。被吊上げ部９０は、このナット３０ａを利用して機器着脱用装置に固定するアダプタであって、Ｌ字状のアングル板を主要部とする。被吊上げ部９０には、掛吊り部２１のネジ棒部材２２が挿入される透孔ａ１が設けられている。先の実施例と同様に、この透孔ａ１にナット２３、２３を螺合する。被吊上げ部９０にはナット３０ａに対応する位置に透孔９０ｄが設けられており、スペーサ９１を介してボルト９０ｃによりインバータ装置３０に固定される。本実施例の場合には、インバータ装置３０の天板の上部空間を被吊上げ部９０が干渉することになるが、その範囲は限定的である。尚、図中、３０ｂは天板に設けられた通気口であり、３０ｃは強制排気を行う排気ファンである。
【００４０】
上記実施例においては、機器着脱用装置の、直状案内棒１、第１被案内体１５、第２被案内体２０等がインバータ装置３、３０の左右側面の外側上部に沿って配置されており、インバータ装置３の上空間を干渉しない範囲に配置されているものとしたが、電力用機器が製品として要求する上部空間の取付け仕様（例えば、「通気口を覆わないこと」、「２０ｃｍ以上あける事」等の仕様）によっては、インバータ装置３、30の左右側面からやや内側に配置しても良い。
【符号の説明】
【００４１】
１  電源装置
２  筐体
４  固定部（基本フレーム）
５  インバータ装置（電力用機器）
９  被吊上げ部
１４  直状案内棒
１５  第１被案内体
１９  直状軌道部材
２０  第２被案内体
２１  掛吊り部
２４  スクリュージャッキ
【図１】
0003149621.tif 000003
【図２】
0003149621.tif 000004
【図３】
0003149621.tif 000005
【図４】
0003149621.tif 000006
【図５】
0003149621.tif 000007
【図６】
0003149621.tif 000008
【図７】
0003149621.tif 000009